(57)【要約】【課題】通信中の装置が緊急情報を取得するまでの時間を短くする。【解決手段】緊急情報サーバ３０は、緊急地震速報を受信すると、当該速報に関係する地域に在圏する装置へ地震に対する警戒を促すメッセージを配信し、緊急地震速報をフォトサーバ４０へ送信する。フォトサーバ４０は、緊急地震速報を受信したときにデジタルフォトフレーム１０Ａと通信中であり、デジタルフォトフレーム１０Ａが、緊急地震速報に関係する地域に在圏する場合、地震に対する警戒を促すメッセージの画像を生成し、生成した画像の画像データをデジタルフォトフレーム１０Ａへ送信する。デジタルフォトフレーム１０Ａは、受信した画像データの画像を表示する。【選択図】図１
2014092969.tif 000002
【特許請求の範囲】
【請求項１】
緊急情報を取得し、端末に送信するメッセージを前記取得した緊急情報に基いて生成する生成手段と、
前記メッセージの配信地域を前記緊急情報に基いて特定し、当該緊急情報を取得したときに自装置と通信中の端末であって、特定した前記配信地域に在圏する端末へ、前記生成手段が生成したメッセージを送信する送信手段と
を有するサーバ装置。
【請求項２】
前記送信手段は、前記生成手段が前記緊急情報を取得した時点から予め定められた時間範囲内において通信中の端末であって、前記配信地域に在圏する端末へ前記メッセージを送信する
請求項１に記載のサーバ装置。
【請求項３】
前記送信手段は、前記メッセージを通信先の端末へ送信できなかった場合、当該メッセージを再送する
請求項１又は請求項２に記載のサーバ装置。
【請求項４】
前記送信手段は、前記生成手段が前記緊急情報を取得した時点から予め定められた時間が経過した場合、前記メッセージの再送を行わない
請求項３に記載のサーバ装置。
【請求項５】
緊急情報を取得し、端末に送信するメッセージを前記取得した緊急情報に基いて生成する生成ステップと、
前記メッセージの配信地域を前記緊急情報に基いて特定し、当該緊急情報を受信したときに自装置と通信中の端末であって、特定した前記配信地域に在圏する端末へ、前記生成ステップが生成したメッセージを送信する送信ステップと
を有する情報配信方法。
【請求項６】
コンピュータに、
緊急情報を取得し、端末に送信するメッセージを前記取得した緊急情報に基いて生成する生成ステップと、
前記メッセージの配信地域を前記取得した緊急情報に基いて特定し、当該緊急情報を受信したときに自装置と通信中の端末であって、特定した前記配信地域に在圏する端末へ、前記生成ステップが生成したメッセージを送信する送信ステップと
を実行させるためのプログラム。
【発明の詳細な説明】
【技術分野】
【０００１】
本発明は、警報を配信する技術に関する。
【背景技術】
【０００２】
特許文献１には、行政サービスから緊急放送が発信された場合、緊急放送をユーザに伝える情報通信システムが開示されている。この情報通信システムにおいては、サーバからの音声配信サービスの途中で緊急放送が発信された場合、ユーザが電話端末で通話中の場合には、通信中着信通知により、緊急放送の発信をユーザに通知する。ユーザは、通信中着信通知により緊急放送の発信を知ると通話を中断する。次に、ユーザが緊急放送の視聴の操作を行うと、サーバから送信される緊急放送を視聴することができる。
【先行技術文献】
【特許文献】
【０００３】
【特許文献１】特開２００９−１０８８１号公報
【発明の概要】
【発明が解決しようとする課題】
【０００４】
特許文献１のシステムによれば、緊急放送が発せられた場合、通信中の端末のユーザに緊急放送を視聴させることが可能となっている。しかしながら、特許文献１のシステムにおいては、音声配信サービスを一旦中断した後、サーバからの緊急放送を視聴するため、ユーザは、緊急放送音声のファイルを配信するサーバへ接続し、緊急放送を視聴する操作を行う必要がある。緊急放送については、より早くユーザに伝えることが望ましいが、特許文献１のシステムでは、通信の切断や接続が発生する。ここで、多数のユーザが一斉に通信の切断や接続を行うと輻輳が発生し、緊急放送をユーザに伝えられなくなる虞がある。
【０００５】
本発明は、上述した背景の下になされたものであり、通信中の装置が緊急情報を取得するまでの時間を短くすることを目的とする。
【課題を解決するための手段】
【０００６】
上述した目的を達成するため、本発明は、緊急情報を取得し、端末に送信するメッセージを前記取得した緊急情報に基いて生成する生成手段と、前記メッセージの配信地域を前記緊急情報に基いて特定し、当該緊急情報を取得したときに自装置と通信中の端末であって、特定した前記配信地域に在圏する端末へ、前記生成手段が生成したメッセージを送信する送信手段とを有するサーバ装置を提供する。
【０００７】
本発明においては、前記送信手段は、前記生成手段が前記緊急情報を取得した時点から予め定められた時間範囲内において通信中の端末であって、前記配信地域に在圏する端末へ前記メッセージを送信する構成としてもよい。
【０００８】
また、本発明においては、前記メッセージを通信先の端末へ送信できなかった場合、当該メッセージを再送する構成としてもよい。
【０００９】
また、本発明においては、前記生成手段が前記緊急情報を取得した時点から予め定められた時間が経過した場合、前記メッセージの再送を行わない構成としてもよい。
【００１０】
また、本発明は、緊急情報を取得し、端末に送信するメッセージを前記取得した緊急情報に基いて生成する生成ステップと、前記メッセージの配信地域を前記緊急情報に基いて特定し、当該緊急情報を受信したときに自装置と通信中の端末であって、特定した前記配信地域に在圏する端末へ、前記生成ステップが生成したメッセージを送信する送信ステップとを有する情報配信方法を提供する。
【００１１】
また、本発明は、コンピュータに、緊急情報を取得し、端末に送信するメッセージを前記取得した緊急情報に基いて生成する生成ステップと、前記メッセージの配信地域を前記取得した緊急情報に基いて特定し、当該緊急情報を受信したときに自装置と通信中の端末であって、特定した前記配信地域に在圏する端末へ、前記生成ステップが生成したメッセージを送信する送信ステップとを実行させるためのプログラムを提供する。
【発明の効果】
【００１２】
本発明によれば、通信中の装置が緊急情報を取得するまでの時間を従来より短くすることができる。
【図面の簡単な説明】
【００１３】
【図１】本発明の一実施形態に係る警報システム１を構成する装置を示した図。
【図２】デジタルフォトフレーム１０のハードウェア構成を示したブロック図。
【図３】デジタルフォトフレーム１０において実現する機能の構成を示したブロック図。
【図４】緊急情報サーバ３０のハードウェア構成を示したブロック図。
【図５】緊急情報サーバ３０において実現する機能の構成を示したブロック図。
【図６】フォトサーバ４０のハードウェア構成を示したブロック図。
【図７】データベースＤＢ１の構成を示した図。
【図８】緊急情報サーバ３０において実現する機能の構成を示したブロック図。
【図９】実施形態の動作例を説明するためのシーケンス図。
【図１０】制御部４０１が行う処理の流れを示したフローチャート。
【図１１】制御部４０１が行う処理の流れを示したフローチャート。
【図１２】デジタルフォトフレーム１０に表示される画面例を示した図。
【発明を実施するための形態】
【００１４】
［実施形態］
＜全体構成＞
図１は、本発明の一実施形態に係る警報システム１に係る装置を示した図である。通信網２０は、音声通信やデータ通信などの通信サービスを提供する移動体通信網である。なお、通信網２０は、インターネットや固定電話網なども含めることができる。通信網２０には、デジタルフォトフレーム１０Ａ、１０Ｂや、緊急情報サーバ３０、フォトサーバ４０、端末装置５０などが接続される。なお、通信網２０に接続される各装置の数は図１に示した数に限定されるものではなく、図１に示した数以上の装置を接続することができる。
【００１５】
端末装置５０は、本実施形態においては携帯電話機であり、通信網２０を介して他の端末装置５０と音声通信やデータ通信を行う。なお、本実施形態においては、端末装置５０は携帯電話機であるが、携帯電話機に限定されるものではなく、通信網２０を介した通信を行う機能を備えているものであれば、スマートフォン、タブレットＰＣ（Personal Computer）、フィーチャーフォン又はＰＤＡ（Personal Digital Assistant）などであってもよい。また、端末装置５０は、携帯可能な装置に限定されるものではなく、デスクトップ型のパーソナルコンピュータなど、据置型のコンピュータ装置であってもよい。
【００１６】
緊急情報サーバ３０は、通信網２０を介して緊急の情報を配信するコンピュータ装置である。緊急情報サーバ３０は、国や地方公共団体が提供する災害情報や避難情報、気象庁が提供する緊急地震速報や津波警報などの緊急情報を取得し、取得した緊急情報を通信網２０に接続可能なデジタルフォトフレーム１０Ａ、１０Ｂや、端末装置５０へ同報配信する。また、緊急情報サーバ３０は、取得した緊急情報をフォトサーバ４０へ送信する。
【００１７】
フォトサーバ４０は、デジタルフォトフレーム１０へデジタル写真の画像データを送信するコンピュータ装置である。フォトサーバ４０は、画像データが添付された電子メールを受信し、受信した電子メールに添付されている画像データや、電子メールの本文や電子メールの送信元の電子メールアドレスなどのテキスト情報などをデジタルフォトフレーム１０Ａ、１０Ｂへ送信する。また、フォトサーバ４０は、緊急情報サーバ３０が送信する緊急情報を受信し、受信した緊急情報を、フォトサーバ４０と通信中の装置へ送信する機能を有している。
【００１８】
デジタルフォトフレーム１０Ａ、１０Ｂは、デジタル写真を表示する表示装置である。デジタルフォトフレーム１０Ａ、１０Ｂの構成は同じであるため、以下、各々を区別する必要のない場合はデジタルフォトフレーム１０と記載する。本実施形態に係るデジタルフォトフレーム１０は、通信網２０が提供する通信サービスを受ける。デジタルフォトフレーム１０は、通信網２０からデータ通信（パケット通信）で送信される画像データやテキスト情報を受信し、受信した画像データの画像やテキスト情報などを表示する。また、デジタルフォトフレーム１０は、通信網２０からＣＢＳ（Cell Broadcast Service）と呼ばれる仕組みを用いて配信される緊急情報を受信し、受信した情報を表示する。
【００１９】
＜デジタルフォトフレーム１０の構成＞
図２は、デジタルフォトフレーム１０のハードウェア構成の一例を示したブロック図である。図２に示したように、デジタルフォトフレーム１０の各部は、バス１００に接続されている。デジタルフォトフレーム１０の各部は、このバス１００を介して各部間でデータのやり取りを行う。
通信部１０５は、通信網２０を介して通信を行う通信インターフェースとして機能する。通信部１０５は、通信網２０からデータ通信で送信される画像データやテキスト情報、ＣＢＳで送信される緊急情報などを受信する。
【００２０】
表示部１０４は、画像を表示するディスプレイ装置を有しており、制御部１０１の制御の下、デジタル写真やデジタルフォトフレーム１０を操作するためのメニュー画面などを表示する。操作部１０３は、デジタルフォトフレーム１０を操作するためのボタンや、表示部１０４のディスプレイ装置の表面に配置された透明なタッチパッドなどである。デジタルフォトフレーム１０のユーザが操作部１０３を操作すると、デジタルフォトフレーム１０は、行われた操作に応じて動作する。
【００２１】
記憶部１０２は、各種データやプログラムを記憶するメモリを備えており、データ通信機能、緊急情報を受信して表示する機能、フォトサーバ４０から送信される画像データやテキスト情報を受信する機能、受信した画像データの画像やテキスト情報を表示する機能などの各種機能を実現するプログラムを記憶している。
【００２２】
制御部１０１は、ＣＰＵ（Central Processing Unit）、ＲＯＭ（Read Only Memory）及びＲＡＭ（Random Access Memory）を備えたマイクロコントローラである。ＣＰＵがＲＯＭに記憶されているブートローダを実行した後、記憶部１０２に記憶されているプログラムを実行すると、上記の機能が実現する。
【００２３】
図３は、デジタルフォトフレーム１０において実現する機能のうち、本発明に係る機能の構成を示したブロック図である。
データ取得部１５１は、フォトサーバ４０から送信されて通信部１０５が受信した画像データやテキスト情報を取得する。データ取得部１５１は、取得した画像データやテキスト情報を記憶部１０２に記憶させる。また、データ取得部１５１は、取得した画像データやテキスト情報を表示制御部１５３へ供給する。
緊急情報取得部１５２は、通信網２０の無線基地局から送信されて通信部１０５が受信した緊急情報を取得する。緊急情報取得部１５２は、取得した緊急情報を示す画像を生成し、生成した画像の画像データを表示制御部１５３へ供給する。
表示制御部１５３は、供給される画像データが示す画像やテキスト情報が表示されるように、供給される画像データやテキスト情報に基いて表示部１０４を制御する。
【００２４】
＜緊急情報サーバ３０の構成＞
図４は、緊急情報サーバ３０のハードウェア構成の一例を示したブロック図である。図４に示したように、緊急情報サーバ３０の各部はバス３００に接続されており、このバス３００を介して各部間でデータのやり取りを行う。
【００２５】
通信部３０５は、通信ケーブルによって通信網２０に接続されており、通信網２０を介してデータ通信を行う通信インターフェースとして機能する。また、通信部３０５は、国や地方公共団体、気象庁などのコンピュータ装置と通信網２０又は専用線を介して接続され、接続されたコンピュータ装置から送信される緊急情報を受信する。操作部３０３は、ユーザにより操作されるキーボード及びマウスを有している。操作部３０３が操作されると、緊急情報サーバ３０は、行われた操作に応じて動作する。表示部３０４は、表示装置としてディスプレイ装置を有しており、制御部３０１の制御の下、文字やグラフィック画面、緊急情報サーバ３０を操作するためのメニュー画面などを表示する。
【００２６】
記憶部３０２は、データを記憶する装置（例えばハードディスク装置）を有しており、各種プログラムを記憶する。具体的には、緊急情報サーバ３０においてオペレーティングシステムの機能を実現するプログラムを記憶している。また、記憶部３０２は、受信した緊急情報を、フォトサーバ４０、緊急情報に係る地域に在圏するデジタルフォトフレーム１０、緊急情報に係る地域に在圏する端末装置５０などへ送信する機能を実現するプログラムを記憶している。
【００２７】
制御部３０１は、ＣＰＵ、ＲＯＭ及びＲＡＭを備えており、ＣＰＵがＲＯＭに記憶されているブートローダを実行した後、記憶部３０２に記憶されているプログラムを実行すると、上記の機能が実現する。
【００２８】
図５は、緊急情報サーバ３０において実現する機能のうち、本発明に係る機能の構成を示したブロック図である。
メッセージ生成部３５０は、通信部３０５が受信した緊急情報を取得する。メッセージ生成部３５０は、取得した緊急情報に基いて、デジタルフォトフレーム１０及び端末装置５０に表示させるメッセージを生成する。
緊急情報配信部３５１は、通信部３０５が受信した緊急情報を取得する。緊急情報配信部３５１は、緊急情報に含まれている地域名に基いて、緊急情報を配信する配信地域を决定する。緊急情報配信部３５１は、通信網２０が有する無線ネットワーク制御装置のうち、决定した配信地域をカバーする無線ネットワーク制御装置へ、メッセージ生成部３５０が生成したメッセージを送信する。メッセージを受信した無線ネットワーク制御装置は、受信したメッセージを自身に接続されている無線基地局へ送る。無線基地局は、無線ネットワーク制御装置から送られたメッセージを配信する。また、緊急情報配信部３５１は、通信部３０５が受信した緊急情報を取得し、取得した緊急情報をフォトサーバ４０へ送信する。
【００２９】
［フォトサーバ４０の構成］
図６は、フォトサーバ４０のハードウェア構成の一例を示したブロック図である。図６に示したように、フォトサーバ４０の各部はバス４００に接続されており、このバス４００を介して各部間でデータのやり取りを行う。
通信部４０５は、通信網２０を介してデータ通信を行う通信インターフェースとして機能する。通信部４０５は、端末装置５０から送信される電子メールや、緊急情報サーバ３０から送信される緊急情報を受信する。表示部４０４は、ディスプレイ装置を有しており、制御部４０１の制御の下、文字やグラフィック画面、フォトサーバ４０を操作するためのメニュー画面などを表示する。
【００３０】
記憶部４０２は、データを記憶する装置（例えばハードディスク装置）を有しており、各種プログラムを記憶する。具体的には、記憶部４０２は、フォトサーバ４０においてオペレーティングシステムの機能を実現するプログラムを記憶している。また、記憶部４０２は、デジタルフォトフレーム１０へ画像データやテキスト情報を送信する機能を実現するプログラムＰ１や、緊急情報サーバ３０から送信された緊急情報をデジタルフォトフレーム１０へ送信する機能を実現するプログラムＰ２などを記憶している。なお、画像データやテキスト情報をデジタルフォトフレーム１０へ送信する機能と、緊急情報をデジタルフォトフレーム１０へ送信する機能は、一つのプログラムで実現されてもよい。
【００３１】
また、記憶部４０２は、データベースＤＢ１を記憶している。データベースＤＢ１は、デジタルフォトフレーム１０の電子メールアドレスと、デジタルフォトフレーム１０へ画像データを送信する送信者の電子メールアドレスとの対応関係を格納したデータベースであり、本実施形態においては図７に示した構成となっている。
【００３２】
「フォトフレームアドレス」フィールドは、デジタルフォトフレーム１０に設定された電子メールアドレスが格納されるフィールドである。なお、図７に示したデータベースＤＢ１においては、「フォトフレームアドレス」フィールドの１行目にデジタルフォトフレーム１０Ａの電子メールアドレスが格納され、２行目にデジタルフォトフレーム１０Ｂの電子メールアドレスが格納されているものとする。
【００３３】
「管理者アドレス」フィールドは、デジタルフォトフレーム１０の管理者の電子メールアドレスが格納されるフィールドである。図７に示したデータベースＤＢ１においては、「管理者アドレス」フィールドの１行目にデジタルフォトフレーム１０Ａの管理者の電子メールアドレスが格納され、２行目にデジタルフォトフレーム１０Ｂの管理者の電子メールアドレスが格納されている。管理者は、デジタルフォトフレーム１０へ画像データが添付された電子メールを送信する者である。
【００３４】
「参加者」フィールドは、デジタルフォトフレーム１０に画像データを送ることを、デジタルフォトフレーム１０の管理者に許可された者の電子メールアドレスが格納されるフィールドである。図７に示したデータベースＤＢ１においては、管理者以外にデジタルフォトフレーム１０Ａへの画像データの送信を許可された二人の電子メールアドレスがデジタルフォトフレーム１０Ａの電子メールアドレスに対応付けて格納され、管理者以外にデジタルフォトフレーム１０Ｂへの画像データの送信を許可された三人の電子メールアドレスがデジタルフォトフレーム１０Ｂの電子メールアドレスに対応付けて格納されている。
【００３５】
制御部４０１は、ＣＰＵ、ＲＯＭ及びＲＡＭを備えており、ＣＰＵがＲＯＭに記憶されているブートローダを実行した後、記憶部４０２に記憶されているプログラムを実行すると、上記の機能が実現する。
【００３６】
図８は、フォトサーバ４０において実現する機能のうち、本発明に係る機能の構成を示したブロック図である。
データ転送部４５０は、デジタルフォトフレーム１０宛に送信された電子メールを通信部４０５が受信すると、通信部４０５が受信した電子メールのテキスト情報や添付されている画像データを抽出し、抽出した画像データとテキスト情報とをデジタルフォトフレーム１０へ転送する。なお、データ転送部４５０は、画像データやテキスト情報の宛先となるアドレスがデータベースＤＢ１の「フォトフレームアドレス」のフィールドに格納されており、且つ、画像データやテキスト情報の宛先となるアドレスが格納されているレコードの「管理者アドレス」フィールド又は「参加者アドレス」のフィールドに電子メールの送信者のアドレスが格納されている場合に抽出した画像データやテキスト情報を転送する。
【００３７】
データ生成部４５２は、通信部４０５が受信した緊急情報を取得する。データ生成部４５２は、取得した緊急情報に基いて、デジタルフォトフレーム１０に表示させるメッセージの画像データを生成する。
【００３８】
緊急情報送信部４５１は、緊急情報サーバ３０から送信された緊急情報を通信部４０５が受信すると、緊急情報に含まれている地域名に基いて、緊急情報を配信する配信地域を决定する。緊急情報送信部４５１は、通信網２０が有する無線ネットワーク制御装置のうち、决定した配信地域をカバーする無線ネットワーク制御装置を特定し、特定した無線ネットワーク制御装置がカバーする通信エリアに在圏するデジタルフォトフレーム１０を特定する。緊急情報送信部４５１は、特定したデジタルフォトフレーム１０のうち、緊急情報を受信したときに画像データやテキスト情報を受信中のデジタルフォトフレーム１０を特定し、特定したデジタルフォトフレーム１０へ、データ生成部４５２が緊急情報に基いて生成した画像データを送信する。
【００３９】
＜実施形態の動作例＞
次に、本実施形態の動作の一例について説明する。まず、デジタルフォトフレーム１０Ａの管理者が端末装置５０を操作し、画像データを添付した電子メールを、デジタルフォトフレーム１０Ａの電子メールアドレスを宛先として送信する（図９：ステップＳ１）。フォトサーバ４０の通信部４０５は、この送信された電子メールを受信する。フォトサーバ４０は、電子メールを受信すると、受信した電子メールから抽出した画像データやテキスト情報を転送する処理を実行する。
【００４０】
具体的には、フォトサーバ４０の制御部４０１（データ転送部４５０）は、図１０に示した処理を実行する。制御部４０１は、受信した電子メールの送信者の電子メールアドレスを、データベースＤＢ１の「管理者」フィールドと「参加者」フィールドにおいて検索する。ここで、例えば送信者の電子メールアドレスが「ccc@○○○.com」である場合、送信者の電子メールアドレスが「管理者」フィールドにあるため（ステップＳＡ１でＹＥＳ）、図７の１行目のレコードが検索される。なお、制御部４０１は、送信者の電子メールアドレスが「管理者」フィールドと「参加者」フィールドで見つからなかった場合（ステップＳＡ１でＮＯ）、画像データやテキスト情報の転送処理を終了する。
【００４１】
制御部４０１は、ステップＳＡ１でＹＥＳと判断した場合、検索されたレコードの「フォトフレームアドレス」のフィールドに、受信した電子メールの宛先となっている電子メールアドレスがあるか判断する。ここで、例えば受信した電子メールの宛先の電子メールアドレスが「aaa@○○○.com」である場合、検索された図７の１行目のレコードにおいては、「フォトフレームアドレス」のフィールドに「aaa@○○○.com」が格納されているため、制御部４０１は、受信した電子メールの宛先となっている電子メールアドレスが、検索されたレコードの「フォトフレームアドレス」のフィールドにあると判断する（ステップＳＡ２でＹＥＳ）。なお、制御部４０１は、検索されたレコードの「フォトフレームアドレス」のフィールドに受信した電子メールの宛先となっている電子メールアドレスがなかった場合（ステップＳＡ２でＮＯ）、画像データやテキスト情報の転送処理を終了する。
【００４２】
制御部４０１は、ステップＳＡ２でＹＥＳと判断すると、受信した電子メールから抽出した画像データとテキスト情報とを、当該電子メールの宛先とされている電子メールアドレスで特定されるデジタルフォトフレーム１０Ａへ転送する（ステップＳＡ３、ステップＳ２）。デジタルフォトフレーム１０Ａの通信部１０５は、フォトサーバ４０から送信された画像データやテキスト情報の受信を開始する（ステップＳ３）。ここで、画像データのサイズや、画像データの数、テキスト情報のサイズにより、受信が完了するまでに時間がかかる場合がある。
【００４３】
デジタルフォトフレーム１０Ａがフォトサーバ４０から画像データやテキスト情報を受信中に地震のＰ波が観測され、気象庁から緊急情報の一例である緊急地震速報が配信されると、緊急情報サーバ３０の通信部３０５は、配信された緊急地震速報を受信する（ステップＳ４）。緊急地震速報には、地震の発生時刻、震源地、予測震度４以上の地域名などが含まれる。なお、本動作例では、緊急情報が緊急地震速報である場合を例にして動作の説明を行うが、緊急情報は、緊急地震速報に限定されるものではなく、津波警報や災害・避難情報であってもよい。
緊急情報サーバ３０の制御部３０１（メッセージ生成部３５０）は、受信した緊急情報に基いて、デジタルフォトフレーム１０及び端末装置５０に表示させるメッセージを生成する。また、制御部３０１（緊急情報配信部３５１）は、緊急情報に含まれている地域名に基いて、緊急情報を配信する配信地域を决定する。制御部３０１（緊急情報配信部３５１）は、通信網２０が有する無線ネットワーク制御装置のうち、决定した配信地域をカバーする無線ネットワーク制御装置へ、生成したメッセージを送信する。メッセージを受信した無線ネットワーク制御装置は、受信したメッセージを無線基地局へ送る。無線基地局は、無線ネットワーク制御装置から送られたメッセージを配信する（ステップＳ５）。例えば、デジタルフォトフレーム１０Ａ、１０Ｂ及び端末装置５０が緊急地震速報に含まれている地域名の地域に在圏する場合、これらの装置へ緊急地震速報から生成されたメッセージが配信される。また、緊急情報サーバ３０は、受信した緊急地震速報をフォトサーバ４０へ送信する（ステップＳ６）。
【００４４】
端末装置５０とデジタルフォトフレーム１０Ｂが通信網２０を介した通信を行なっていない場合、端末装置５０とデジタルフォトフレーム１０Ｂは、無線基地局から配信されたメッセージを受信する（ステップＳ７、Ｓ８）。端末装置５０とデジタルフォトフレーム１０Ｂは、受信したメッセージを表示する（ステップＳ９、Ｓ１０）。デジタルフォトフレーム１０Ｂにおいては、緊急情報取得部１５２は、メッセージを取得して当該メッセージの画像を生成し、表示制御部１５３は、当該メッセージの画像が表示されるように表示部１０４を制御する。図１２に表示されるメッセージの一例を示す。また、デジタルフォトフレーム１０Ａがフォトサーバ４０とパケット通信中で画像データやテキスト情報の受信中である場合、デジタルフォトフレーム１０Ａは、無線基地局から配信される緊急地震速報のメッセージを受信できないこととなる。
【００４５】
フォトサーバ４０は、緊急情報サーバ３０から送信された緊急地震速報を受信する（ステップＳ１１）。フォトサーバ４０は、パケット通信中のデジタルフォトフレーム１０において緊急地震速報の内容が表示されるように、デジタルフォトフレーム１０に対して緊急情報の内容を送信する処理を実行する（ステップＳ１２）。
【００４６】
具体的には、制御部４０１（緊急情報送信部４５１）は、緊急地震速報を受信した時刻にフォトサーバ４０と通信を行なっているデジタルフォトフレーム１０を特定する（図１１：ステップＳＢ１１）。次に、制御部４０１（緊急情報送信部４５１）は、特定したデジタルフォトフレーム１０のうち、緊急地震速報に含まれている地域に在圏しているデジタルフォトフレーム１０を緊急地震速報の内容の送信先として特定する（ステップＳＢ２）。移動体通信網では、移動体通信網が提供する通信サービスを受ける端末の位置をロケーションレジスタで管理しているため、ロケーションレジスタを参照することにより、緊急地震速報に含まれている地域に在圏しているデジタルフォトフレーム１０を特定することができる。
【００４７】
また、制御部４０１（データ生成部４５２）は、緊急地震速報の内容に基いて、デジタルフォトフレーム１０に表示させるメッセージの画像データを生成する（ステップＳＢ３）。制御部４０１（緊急情報送信部４５１）は、生成した画像の画像データを、特定したデジタルフォトフレーム１０を送信先として送信する（ステップＳＢ４、ステップＳ１３）。なお、緊急地震速報から生成した画像データをフォトサーバ４０からデジタルフォトフレーム１０へ送信する場合、ステップＳ３で開始したセッションを終了せずに送信するのが好ましい。
【００４８】
例えば、緊急地震速報をフォトサーバ４０が受信したときにフォトサーバ４０とデジタルフォトフレーム１０Ａがパケット通信中であり、デジタルフォトフレーム１０Ａが緊急地震速報に含まれている地域に在圏している場合、制御部４０１は、緊急地震速報の内容の送信先としてデジタルフォトフレーム１０Ａを特定する。また、制御部４０１は、デジタルフォトフレーム１０に表示させるメッセージの画像データを生成し、生成した画像データをデジタルフォトフレーム１０Ａへ送信する。生成される画像の一例を図１２に示す。図１２に示したように、この画像には、地震の発生を知らせるメッセージ、震源地、揺れに対する備えるよう促すメッセージが含まれる。
なお、制御部４０１は、画像データをを送信するときに、デジタルフォトフレーム１０Ａが他の画像データやテキスト情報を受信中である場合、これらの受信が終了してから、メッセージの画像データをを送信するようにしてもよい。
【００４９】
デジタルフォトフレーム１０Ａは、メッセージの画像データを受信し（ステップＳ１４）、受信した画像データの画像を表示する（ステップＳ１５）。具体的には、制御部１０１のデータ取得部１５１が画像データを表示制御部１５３へ供給し、表示制御部１５３が、供給された画像データの画像が表示されるように表示部１０４を制御する。デジタルフォトフレーム１０Ａのユーザは、この表示された画像により、緊急情報の内容を知ることができる。
【００５０】
以上説明したように、本実施形態においては、無線基地局からＣＢＳで配信された緊急情報をデジタルフォトフレーム１０が受信できなくても、デジタルフォトフレーム１０へ緊急情報の内容を送信して表示させることができる。また、本実施形態においては、ユーザがデジタルフォトフレーム１０を操作しなくても緊急情報を受信できるため、緊急情報を取得するまでの時間を特許文献１の発明より短くすることができる。
【００５１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５２】
緊急情報から生成されたメッセージの画像データをデジタルフォトフレーム１０へ送信できなかった場合、フォトサーバ４０は、送信できなかった画像データを再送するようにしてもよい。なお、緊急情報から生成されたメッセージの画像データを再送する場合には、フォトサーバ４０は、緊急情報を受信してから予め定められた時間が経過した後は、画像データの再送を行わないようにしてもよい。
【００５３】
上述した実施形態においては、フォトサーバ４０は、緊急情報を受信したときに通信中のデジタルフォトフレーム１０であって、緊急情報に含まれている地域名の地域に在圏するデジタルフォトフレーム１０に対して、緊急情報から生成したメッセージの画像データを送信しているが、この構成に限定されるものではない。
例えば、フォトサーバ４０は、緊急情報を受信した時刻を基準に当該時刻から前と後の予め定められた時間範囲内にフォトサーバ４０と通信中のデジタルフォトフレーム１０に対して、緊急情報から生成したメッセージの画像データを送信してもよい。また、緊急情報を受信した時刻を基準に当該時刻から前と後の予め定められた時間範囲内にフォトサーバ４０と通信中のデジタルフォトフレーム１０ではなく、緊急情報を受信した時刻から前の予め定められた時間範囲内に通信中のデジタルフォトフレーム１０に対してメッセージの画像データを送信してもよく、緊急情報を受信した時刻から後の予め定められた時間範囲内に通信中のデジタルフォトフレーム１０に対してメッセージの画像データを送信してもよい。
【００５４】
上述した実施形態においては、フォトサーバ４０は、緊急情報から生成したメッセージの画像データをデジタルフォトフレーム１０へ送信できなかった場合、当該画像データの送信先のデジタルフォトフレーム１０の管理者の電子メールアドレスをデータベースＤＢ１から抽出し、抽出したアドレスを宛先として、緊急情報から生成したメッセージの画像データを添付した電子メールを送信してもよい。また、管理者の電子メールアドレスだけでなく、参加者の電子メールアドレスも抽出し、抽出した参加者の電子メールアドレスも宛先として電子メールを送信してもよい。
なお、本変形例においては、緊急情報が配信された時刻又はフォトサーバ４０からデジタルフォトフレーム１０へ画像データの送信を試みた時刻を電子メールの本文に含めるようにしてもよい。
また、管理者や参加者へ電子メールを送信するのではなく、緊急情報から生成したメッセージの画像データをデジタルフォトフレーム１０へ送信できなかったことを知らせるメッセージを含む電子メールを、管理者や参加者へ送信するようにしてもよい。
【００５５】
上述した実施形態においては、緊急地震速報に基いて生成したメッセージの画像データをデジタルフォトフレーム１０へ送信しているが、この構成に限定されるものではない。例えば、フォトサーバ４０は、緊急地震速報に基いて生成したメッセージを電子メールの本文とし、当該電子メールをデジタルフォトフレーム１０へ送信し、この電子メールを受信したデジタルフォトフレーム１０は、受信した電子メールの本文を表示するようにしてもよい。
【００５６】
上述した変形例においては、緊急情報に基いて生成したメッセージを、電子メールの本文に含めて送信しているが、この構成に限定されるものではなく、電子メールのプロトコル以外のプロトコルを用いて当該メッセージの送受信を行うようにしてもよい。また、画像データやテキスト情報を送信するときにも、各種のプロトコルを用いてフォトサーバ４０からデジタルフォトフレーム１０へ送信するようにしてもよい。
【００５７】
上述した実施形態においては、フォトサーバ４０が緊急情報を受信し、緊急情報から生成したメッセージを配信しているが、この構成に限定されるものではない。例えば、端末装置５０から送信されたファイルの記憶や、記憶したファイルの端末装置５０への送信を行うファイルサーバにおいても、緊急情報を受信し、緊急情報から生成したメッセージを通信中の端末装置５０へ送信するようにしてもよい。
【００５８】
上述した実施形態においては、フォトサーバ４０は、緊急情報サーバ３０から送信される緊急情報を受信しているが、この構成に限定されるものではない。例えば、フォトサーバ４０も、国や地方公共団体、気象庁などのコンピュータ装置と通信網２０又は専用線を介して接続され、このコンピュータ装置から送信される緊急情報を受信するようにしてもよい。
【００５９】
上述した実施形態は、ＣＢＳで緊急情報を配信しているが、ＥＴＷＳ（Earthquake and Tsunami Warning System）で緊急情報を配信する構成に本発明の構成を適用するようにしてもよい。
【００６０】
上述した実施形態においては、デジタルフォトフレーム１０がフォトサーバ４０から送信される情報を取得しているが、フォトサーバ４０から送信される情報を取得する装置は、デジタルフォトフレーム１０に限定されるものではない。フォトサーバ４０から送信される情報を受信する装置は、例えば、スマートフォン、タブレットＰＣ（Personal Computer）、フィーチャーフォン又はＰＤＡ、デスクトップ型のパーソナルコンピュータなど他の装置であってもよい。
【００６１】
上述したフォトサーバ４０の機能を実現するプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取り可能な記録媒体に記憶した状態で提供し、フォトサーバ４０にインストールしてもよい。また、通信網２０を介してプログラムをダウンロードしてフォトサーバ４０にインストールしてもよい。
【符号の説明】
【００６２】
１０、１０Ａ、１０Ｂ…デジタルフォトフレーム、２０…通信網、３０…緊急情報サーバ、４０…フォトサーバ、５０…端末装置、１０１…制御部、１５１…データ取得部、１５２…緊急情報取得部、１５３…表示制御部、３０１…制御部、３５０…メッセージ生成部、３５１…緊急情報配信部、４０１…制御部、４５０…データ転送部、４５１…緊急情報送信部、４５２…データ生成部、ＤＢ１…データベース。
【図１】
2014092969.tif 000003
【図２】
2014092969.tif 000004
【図３】
2014092969.tif 000005
【図４】
2014092969.tif 000006
【図５】
2014092969.tif 000007
【図６】
2014092969.tif 000008
【図７】
2014092969.tif 000009
【図８】
2014092969.tif 000010
【図９】
2014092969.tif 000011
【図１０】
2014092969.tif 000012
【図１１】
2014092969.tif 000013
【図１２】
2014092969.tif 000014